(57)【要約】【課題】この発明は、簡単な構成でありながら外部負荷側の短絡や電圧変動等に影響を受けることなく安定した電源電圧を複数の外部負荷へ供給することができる電源回路を提供することを課題とする。【解決手段】外部電源１７からの電源電圧ＶＣＣを受けた電圧生成回路１４により所定の電源電圧ＶＤＤが生成され、電源安定化回路１５及び出力端子１６を介して複数の外部負荷１８に供給されると共に、電源電圧ＶＤＤが制御回路１３にも供給されて各種の制御が実行される。複数の外部負荷１８のうちいずれかの外部負荷１８において電圧変動を生じても、電源安定化回路１５内で、オペアンプＯＰＡＭＰにより出力端子１６の電圧値が電源電圧ＶＤＤと比較され、その比較結果に基づいてトランジスタＱ１が作動することにより、出力端子１６が電源電圧ＶＤＤと同等の電圧値に保持される。【選択図】        図１
2004295526.tif 000002
【特許請求の範囲】
【請求項１】
複数の外部負荷へそれぞれ所定の電源電圧を供給する電源回路において、
外部電源に接続され且つ所定の電源電圧を生成する電圧生成回路と、
複数の負荷に接続される共通の出力端子と、
前記電圧生成回路で生成された所定の電源電圧を前記出力端子に出力する電源安定化回路と
を備えたことを特徴とする電源回路。
【発明の詳細な説明】
【０００１】
【発明の属する技術分野】
この発明は、電源回路に係り、特に複数の外部負荷へそれぞれ所定の電源電圧を供給する電源回路に関する。
【０００２】
【従来の技術】
従来、共通の電源から複数の外部負荷へ同時に電源供給するものとして、例えば特許文献１に開示された装置のように、電圧生成回路に分電基板を接続し、分電基板に形成されている複数の出力端子を介して複数の外部負荷や制御回路へ電源電圧を供給するものがある。
【０００３】
【特許文献１】
特開２００１−３３４０２４号公報
【０００４】
ところが、外部負荷側に短絡や電圧変動が発生すると、分電基板に接続された制御回路の電源電圧までも影響を受けてしまうので、これを防止するために、図４に示されるように、一つの出力端子Ｏｕｔに対して一つの保護抵抗Ｒｐを設定し、この保護抵抗Ｒｐを介して電源電圧ＶＤＤを出力端子Ｏｕｔに接続された外部負荷ＶＲ１に供給する必要があった。
このため、図５に示されるように、電源回路１に外部負荷２の個数に相当する数の出力端子３を設けて、これらの出力端子３にそれぞれ外部負荷２を接続し、電圧生成回路４で生成された所定の電源電圧ＶＤＤをそれぞれ保護抵抗Ｒｐ及び出力端子３を介して各外部負荷２へ供給すると共に電源電圧ＶＤＤを制御回路５にも供給していた。
【０００５】
【発明が解決しようとする課題】
しかしながら、このように外部負荷２側の短絡や電圧変動等による電源電圧ＶＤＤへの影響を回避しようとすると、外部負荷２の個数だけ出力端子３と保護抵抗Ｒｐが必要となるため、部品点数が多くなり、電源回路が大型化するという問題点があった。
また、例えば図４に示されるように、外部負荷ＶＲ１としてポテンショメータを用い、このポテンショメータの電圧Ｖ１の変化を測定する場合には、測定精度を高めるためにポテンショメータが有する最大許容印加電圧値をポテンショメータに印加することが望ましいが、電源電圧ＶＤＤの値をその最大許容印加電圧値に設定しても、保護抵抗Ｒｐの存在によりポテンショメータに印加される電圧値は電源電圧ＶＤＤより低くなり、測定精度が低下するという問題もあった。
この発明はこのような問題点を解消するためになされたもので、簡単な構成でありながら外部負荷側の短絡や電圧変動等に影響を受けることなく安定した電源電圧を複数の外部負荷へ供給することができる電源回路を提供することを目的とする。
【０００６】
【課題を解決するための手段】
この発明に係る電源回路は、複数の外部負荷へそれぞれ所定の電源電圧を供給する電源回路において、外部電源に接続され且つ所定の電源電圧を生成する電圧生成回路と、複数の負荷に接続される共通の出力端子と、電圧生成回路で生成された所定の電源電圧を前記出力端子に出力する電源安定化回路とを備えたものである。
【０００７】
【発明の実施の形態】
以下、この発明の実施の形態を添付図面に基づいて説明する。
図１にこの発明の実施の形態に係る電源回路の構成を示す。制御基板１１上に電源回路１２と各種制御を司る制御回路１３とが搭載されている。電源回路１２は、電圧生成回路１４と、電圧生成回路１４に接続された電源安定化回路１５と、電源安定化回路１５に接続された一つの出力端子１６とを備えている。そして、電圧生成回路１４に外部電源１７と制御回路１３が接続され、出力端子１６には複数の外部負荷１８が接続されている。なお、出力端子１６は複数の外部負荷１８に共通の端子である。
【０００８】
電圧生成回路１４は、外部電源１７からの電源供給を受けて所定の電源電圧ＶＤＤを生成し、制御回路１３と電源安定化回路１５とに出力するものである。
また、電源安定化回路１５は、電圧生成回路１４で生成された所定の電源電圧ＶＤＤを安定して出力端子１６へ出力する回路であり、例えば図２に示されるような回路構成を有している。すなわち、外部電源１７からの電源電圧ＶＣＣにより作動するオペアンプＯＰＡＭＰの第１及び第２の入力端にそれぞれ電圧生成回路１４で生成された電源電圧ＶＤＤ及び出力端子１６を接続すると共に外部電源１７からの電源電圧ＶＣＣとオペアンプＯＰＡＭＰの第２の入力端との間にトランジスタＱ１を接続し、オペアンプＯＰＡＭＰの出力によりトランジスタＱ１を作動させるように構成されている。
【０００９】
次に、この実施の形態に係る電源回路の動作について説明する。まず、外部電源１７からの電源電圧ＶＣＣを受けた電圧生成回路１４により所定の電源電圧ＶＤＤが生成され、電源安定化回路１５及び出力端子１６を介して複数の外部負荷１８に供給されると共に、電源電圧ＶＤＤが制御回路１３にも供給されて各種の制御が実行される。
ここで、複数の外部負荷１８のうちいずれかの外部負荷１８において電圧変動を生じても、電源安定化回路１５内で、オペアンプＯＰＡＭＰにより出力端子１６の電圧値が電源電圧ＶＤＤと比較され、その比較結果に基づいてトランジスタＱ１が作動することにより、出力端子１６が電源電圧ＶＤＤと同等の電圧値に保持される。
【００１０】
従って、複数の外部負荷１８に対して出力端子１６を共通化しても、また出力端子１６に保護抵抗を接続しなくても、常に安定した電源電圧ＶＤＤを複数の外部負荷１８へ供給することができる。さらに、出力端子１６の電圧値が電源電圧ＶＤＤと同じ値に保持されるので、外部負荷１８として図４に示したようなポテンショメータを使用して、このポテンショメータの電圧変化を測定する場合に、電源電圧ＶＤＤの値をポテンショメータの最大許容印加電圧値に設定することにより、電源電圧ＶＤＤの値を最大限に活かすことができ、測定精度の向上を図ることが可能となる。
【００１１】
なお、図３に示されるように、電源安定化回路１５内にトランジスタＱ１を保護するためのダイオードＤ１やオペアンプＯＰＡＭＰを保護するためのダイオードＤ２を付加すれば、出力端子１６に接続された外部負荷１８が短絡した場合であっても、トランジスタＱ１やオペアンプＯＰＡＭＰが保護され、電源安定化回路１５への影響を回避することができるので、より信頼性の高い電源回路が実現される。
【００１２】
【発明の効果】
以上説明したように、この発明によれば、共通の出力端子に複数の負荷を接続し、電源安定化回路が電圧生成回路で生成された所定の電源電圧を共通の出力端子に出力するので、簡単な構成でありながら外部負荷側の短絡や電圧変動等に影響を受けることなく所定の電源電圧を安定して複数の外部負荷へ供給することができる。
【図面の簡単な説明】
【図１】この発明の実施の形態に係る電源回路の構成を示すブロック図である。
【図２】実施の形態で用いられた電源安定化回路の内部構成を示す回路図である。
【図３】他の実施の形態で用いられた電源安定化回路の内部構成を示す回路図である。
【図４】従来の電源回路における出力端子と外部負荷との関係を示す回路図である。
【図５】従来の電源回路の構成を示すブロック図である。
【符号の説明】
１１  制御基板、１２  電源回路、１３  制御回路、１４  電圧生成回路、１５  電源安定化回路、１６  出力端子、１７  外部電源、１８  外部負荷。
【図１】
2004295526.tif 000003
【図２】
2004295526.tif 000004
【図３】
2004295526.tif 000005
【図４】
2004295526.tif 000006
【図５】
2004295526.tif 000007